(57)【特許請求の範囲】
【請求項１】
環状の固定子と、この固定子の内側に回転自在に設けられた回転子と、を備え、
この回転子は、周方向に沿って複数形成され冷媒が通る冷却穴を有する回転子鉄心と、この回転子鉄心の外周部に間隔を空けて配置された複数個の永久磁石と、を含む回転電機であって、
前記回転子鉄心には、各前記冷却穴の中心から径方向に延びた線を対称軸として両側に前記永久磁石を収納する磁石収納穴が、径外側方向に向かって閉じる方向に延びたＶ字状であって前記回転子鉄心の外径側の隣接した前記永久磁石間が第１のブリッジ部を介して離間するように形成され、
前記冷却穴は、隣接した前記永久磁石の内側の側面の延長線同士の交点を中心として、この交点と前記永久磁石の前記側面の中間点との距離を半径とした円弧の領域の外側に形成されており、
前記磁石収納穴と前記冷却穴との間の最短距離は、前記第１のブリッジ部の隣接した前記永久磁石間の最短距離よりも大きく、また前記冷却穴の径方向の幅は、前記回転子鉄心の内径側の隣接した前記磁石収納穴間の第２のブリッジ部での前記永久磁石間の最短距離よりも大きく、
前記磁石収納穴は、両側に前記永久磁石の漏洩磁束を防止するための第１の空洞部及び第２の空洞部がそれぞれ形成されている回転電機。
【請求項２】
前記回転子鉄心は、外周面のうち、前記ブリッジ部と対向した部位に凹部が形成されている請求項１に記載の回転電機。
【請求項３】
前記冷却穴は、周方向の両側に外側に拡がる曲面を有している請求項１または２に記載の回転電機。
【請求項４】
前記冷却穴は、周方向に延びた長穴である請求項３に記載の回転電機。
【請求項５】
前記第１の空洞部及び前記第２の空洞部の少なくとも一方は、外側に拡がる曲面を有しており、この曲面は、中間部の曲率半径よりも両側の曲率半径が小さい請求項１〜４の何れか１項に記載の回転電機。
【発明の詳細な説明】
【技術分野】
【０００１】
この発明は、回転子鉄心に永久磁石が埋め込まれた回転電機に関する。
【背景技術】
【０００２】
近年、永久磁石の目ざましい研究開発により、高磁気エネルギー積の永久磁石が開発され、電動機の小型・高出力化が進められている。
特に、ハイブリッド自動車向けのような車両用を用途とする電動機では、限られた空間の中で高トルク、高出力化を要求されており、これを達成するためには永久磁石量を増やして高速化する必要がある。【０００３】
この場合、高遠心力化に伴う回転子鉄心強度、損失密度増加に伴う冷却が大きな問題となる。
更に、高速化に伴って永久磁石表面に発生する渦電流が増大、発熱することにより、熱減磁（不可逆減磁）を生じ、電動機の効率等の性能を著しく低下させるため、深刻な問題となっている。【０００４】
そこで、従来の電動機は、Ｖ字形状に対向した一対の永久磁石間に、回転子鉄心に外周側に向かって凸となる断面形状を有する冷却穴を形成し、この冷却穴に冷媒を通過させることで回転子を冷却して、温度上昇による効率の低下を防いでいる（例えば、特許文献１参照）。
【先行技術文献】
【特許文献】
【０００５】
【特許文献１】特許第４６６０４０６号明細書
【発明の概要】
【発明が解決しようとする課題】
【０００６】
上記電動機は、上記冷却穴を形成することで、回転子鉄心の強度を確保しつつ、温度上昇を抑制しているものの、冷却穴は、永久磁石により生じる回転子鉄心の磁路に形成されているので、この冷却穴による磁気抵抗で生じる温度上昇を抑えることができず、電動機の効率が低下してしまうという問題点があった。【０００７】
この発明は、かかる問題点を解決することを課題とするものであって、冷却穴に起因した磁気抵抗による発熱を抑制し、効率が向上した回転電機を得ることを目的とする。
【課題を解決するための手段】
【０００８】
この発明に係る回転電機は、環状の固定子と、この固定子の内側に回転自在に設けられた回転子と、を備え、この回転子は、周方向に沿って複数形成され冷媒が通る冷却穴を有する回転子鉄心と、この回転子鉄心の外周部に間隔を空けて配置された複数個の永久磁石と、を含む回転電機であって、前記回転子鉄心には、各前記冷却穴の中心から径方向に延びた線を対称軸として両側に前記永久磁石を収納する磁石収納穴が、径外側方向に向かって閉じる方向に延びたＶ字状であって前記回転子鉄心の外径側の隣接した前記永久磁石間が第１のブリッジ部を介して離間するように形成され、前記冷却穴は、隣接した前記永久磁石の内側の側面の延長線同士の交点を中心として、この交点と前記永久磁石の前記側面の中間点との距離を半径とした円弧の領域の外側に形成されており、前記磁石収納穴と前記冷却穴との間の最短距離は、前記第１のブリッジ部の隣接した前記永久磁石間の最短距離よりも大きく、また前記冷却穴の径方向の幅は、前記回転子鉄心の内径側の隣接した前記磁石収納穴間の第２のブリッジ部での前記永久磁石間の最短距離よりも大きく、前記磁石収納穴は、両側に前記永久磁石の漏洩磁束を防止するための第１の空洞部及び第２の空洞部がそれぞれ形成されている。
【発明の効果】
【０００９】
この発明に係る回転電機によれば、冷却穴は、隣接した永久磁石の内側の側面の延長線同士の交点を中心として、この交点と永久磁石の側面の中間点との距離を半径とした円弧の領域の外側に形成されているので、冷却穴に起因した磁気抵抗による発熱は抑制され、効率が向上する。
【図面の簡単な説明】
【００１０】
【図１】この発明の実施の形態１の電動機を示す正断面図である。
【図２】図１の回転子鉄心の要部拡大図である。
【図３】図２の磁石収納穴の要部拡大図である。
【図４】この発明の実施の形態２の電動機を示す要部正断面図である。
【図５】冷却穴の各変形例を示す正面図である。
【発明を実施するための形態】
【００１１】
以下、この発明の各実施の形態の電動機について図に基づいて説明するが、各図において同一または相当部材、部位については同一符号を付して説明する。
【００１２】
実施の形態１．
図１は、この発明の実施の形態１の電動機を示す正断面図である。
この回転電機である電動機は、環状の固定子１と、この固定子１の中心軸線上に回転自在に設けられた回転子２と、を備えている。
固定子１は、環状の電磁鋼板を複数枚積層して形成され、周方向に沿って等間隔でスロットを画成したティース４を有する固定子鉄心３と、各ティース４に導線が集中巻きして形成された電機子巻線５と、を備えている。
【００１３】
回転子２は、シャフト２０と、このシャフト２０に固定され、周方向に沿って等分間隔で形成され冷媒が通る冷却穴７を有する回転子鉄心６と、この回転子鉄心６の外周部に等分間隔で配置された永久磁石８と、を備えている。
【００１４】
図２は図１の回転子鉄心６を示す要部拡大図である。
この回転子鉄心６は、各冷却穴７の中心から径方向に延びた線を対称軸として両側には永久磁石８を収納したトラック状の磁石収納穴１１がそれぞれ形成されている。これら一対の磁石収納穴１１は、径外側方向に向かって閉じるＶ字状になるように形成されている。外径側の隣接した磁石収納穴１１間には、第１のブリッジ部９が形成されている。
【００１５】
冷却穴７は、隣接した永久磁石８の内側側面の延長線同士の交点Ａを中心として、交点Ａと永久磁石８の中間点Ｂとの距離を半径Ｒとした円弧の領域の外側に形成されている。
また、磁石収納穴１１と、一対の磁石収納穴１１で挟まれた冷却穴７との最短距離Ｃは、第１のブリッジ部９での隣接した永久磁石８間の最短距離Ｄよりも大きい。
また、冷却穴７の径方向の幅Ｅは、内径側の隣接した磁石収納穴１１間の第２のブリッジ部１２での永久磁石８間の最短距離Ｆよりも大きい。
また、回転子鉄心６の外周面には、第１のブリッジ部９と対向して凹部１０が形成されている。
【００１６】
冷却穴７は、小判状であって周方向の両側に外側に拡がる曲面を有した長穴である。
各磁石収納穴１１は、両側に永久磁石８の漏洩磁束を防止するための第１の空洞部１１ａ及び第２の空洞部１１ｂが形成されている。
第１の空洞部１１ａ及び第２の空洞部１１ｂは、外側に拡がった曲面を有している。この曲面は、中間部が曲率半径ｒ１、両側が曲率半径ｒ１よりも小さい曲率半径ｒ２の値を有している。
なお、第１の空洞部１１ａ及び第２の空洞部１１ｂの一方のみに、曲率半径ｒ１、曲率半径ｒ２を有する曲面を形成してもよい。
【００１７】
上記構成の電動機では、固定子１の電機子巻線５に三相交流電流を流すことで固定子１には回転磁界が生じ、この回転磁界が回転子２の磁極を引っ張ることで、回転子２は、シャフト２０を中心にして回転する。
【００１８】
この実施の形態の電動機によれば、回転子鉄心６には、冷却穴７から径方向に延びた線を対称軸として両側に永久磁石８を収納する磁石収納穴１１が、径外側方向に向かって閉じる方向に延びてＶ字状に形成されている。
また、冷却穴７は、隣接した永久磁石８の内側の側面の延長線同士の交点Ａを中心として、この交点Ａと永久磁石８の側面の中間点Ｂとの距離を半径とした円弧の領域の外側に形成されている。
隣接した永久磁石８同士は、一方の永久磁石８の側面がＮ極であって、このＮ極に対向した他方の永久磁石８の側面がＳ極になるようにＶ字状に配置されており、一方の永久磁石８から他方の永久磁石８に磁路が形成される。
隣接した永久磁石８間の第１のブリッジ部９から径内側方向に進むに従って両者の周方向の距離が増大することで磁気抵抗は増大し、永久磁石８の中間点Ｂから径方向の内側では、磁力線は殆ど流れない。
この実施の形態では、冷却穴７は、磁力線が殆ど流れない領域に形成されているので、磁力線の抵抗となることは殆どなく、因って小型で高効率の電動機を得ることができる。
【００１９】
また、回転子鉄心６は、外周面のうち、第１のブリッジ部９と対向した部位に回転子２のコギングトルクを抑制するための凹部１０が形成されている。
従って、集中巻きして形成された電機子巻線５では高調波で弱め界磁での鉄損が大きくなるが、第１のブリッジ部９と対向した回転子鉄心６の外周に凹部１０を形成することで、Ｌｑ(ｑ軸インダクタンス)を小さくでき、弱め界磁の回転子２の回転数を高速にすることができる。
なお、凹部１０を形成することで、第１のブリッジ部９での径方向の寸法が小さくなり、第１のブリッジ部９での応力が高くなるものの、上記冷却穴７を形成することで、この応力は緩和される。
【００２０】
また、磁石収納穴１１と冷却穴７との間の最短距離Ｃは、第１のブリッジ部９の隣接した永久磁石８，８間の最短距離Ｄよりも大きく、また冷却穴７の径方向の幅Ｅは、第２のブリッジ部１２での永久磁石８，８間の最短距離Ｆよりも大きいので、回転子２の回転による遠心力による第１のブリッジ部９、第２のブリッジ部１２への応力集中が緩和される。
この応力集中の緩和に関しては、本願発明者による強度解析により確認されている。
また、冷却穴７の幅Ｅの拡大により、冷却通路の断面積が増大し、冷却性能が向上するとともに、回転子２が軽量化される。
【００２１】
また、冷却穴７は、周方向の両側に外側に拡がる曲面を有しているので、冷却穴７の応力集中が緩和される。
【００２２】
また、冷却穴７は、磁力線が殆ど生じない領域である周方向に延びた長穴であるので、通過磁束を妨げることなく、冷却通路の断面積が増大し、冷却性能が向上するとともに、回転子２が軽量化される。
【００２３】
また、磁石収納穴１１は、第１の空洞部１１ａ及び第２の空洞部１１ｂがそれぞれ形成されているので、永久磁石８の両側から磁束が回転子鉄心６に洩れるのを防止することができる。
【００２４】
また、第１の空洞部１１ａ及び第２の空洞部１１ｂには、外側に拡がる曲面を有しており、この曲面は、中間部の曲率半径ｒ１よりも両側の曲率半径ｒ２が小さいので、第１のブリッジ部９及び第２のブリッジ部１２への応力集中が緩和される。
【００２５】
実施の形態２．
図４はこの発明の実施の形態２の電動機の回転子２を示す要部断面図である。
この実施の形態では、冷却穴７Ａが円形である。
他の構成は、実施の形態１の電動機と同じである。
【００２６】
この実施の形態では、実施の形態１の電動機と同様な効果を得ることができるとともに、冷却穴７Ａが円形であるので、電動機の組立て時において、この冷却穴７Ａを回転子２の位置決め用としても利用できる利点がある。
【００２７】
なお、上記各実施の形態では回転電機として電動機について説明したが、発電機にもこの発明は適用できる。
また、冷却穴７，７Ａについては、例えば図５（ａ）〜（ｇ）に示す形状の冷却穴７Ｂ，７Ｃ，７Ｄ，７Ｅ，７Ｆ，７Ｇ，７Ｈであってもよい。
【符号の説明】
【００２８】
１  固定子、２  回転子、３  固定子鉄心、４  ティース、５  電機子巻線、６  回転子鉄心、７  冷却穴、８  永久磁石、９  第１のブリッジ部、１０  凹部、１１  磁石収納穴、１１ａ  第１の空洞部、１１ｂ  第２の空洞部、２０  シャフト、Ａ  交点、Ｂ  中間点、Ｃ，Ｄ，Ｆ  最短距離、Ｅ  幅、Ｒ  半径、ｒ１，ｒ２  曲率半径。
【図１】
0006042976.tif 000002
【図２】
0006042976.tif 000003
【図３】
0006042976.tif 000004
【図４】
0006042976.tif 000005
【図５】
0006042976.tif 000006